(57)【要約】      （修正有）【課題】ラインヘッドを備えた記録装置を使用する場合に、記録媒体の変形（コックリング）が抑制され、高品位な画像を記録することが可能なインクジェット記録方法を提供する。【解決手段】ラインヘッドを備えたインクジェット記録装置を使用して記録媒体に画像を記録するインクジェット記録方法である。ラインヘッドは、水性インクを吐出する複数のノズルが所定方向に配列されて構成されたノズル列をそれぞれ有する複数の記録素子基板を備えるとともに、複数の記録素子基板は、隣接する記録素子基板の端部同士が、所定方向において重複して重複部を構成するように、所定方向に配列されており、重複部を構成する重複部ノズルから吐出されるインクの平均温度Ｔｏ（℃）と、ノズル列の中央部を構成する中央部ノズルから吐出されるインクの平均温度Ｔｃ（℃）とが、Ｔｃ＞Ｔｏの関係を満たす。【選択図】図１
2018187921.tif 000002
【特許請求の範囲】
【請求項１】
ラインヘッドを備えたインクジェット記録装置を使用して記録媒体に画像を記録するインクジェット記録方法であって、
前記ラインヘッドは、水性インクを吐出する複数のノズルが所定方向に配列されて構成されたノズル列をそれぞれ有する複数の記録素子基板を備えるとともに、複数の前記記録素子基板は、隣接する前記記録素子基板の端部同士が前記所定方向において重複して重複部を構成するように、前記所定方向に配列されており、
前記重複部を構成する重複部ノズルから吐出される水性インクの平均温度Ｔｏ（℃）と、前記ノズル列の中央部を構成する中央部ノズルから吐出される水性インクの平均温度Ｔｃ（℃）とが、Ｔｃ＞Ｔｏの関係を満たし、
前記重複部ノズルからは、隣接する前記記録素子基板に割り振って前記水性インクを吐出することを特徴とするインクジェット記録方法。
【請求項２】
前記水性インクが、色材として顔料を含有する請求項１に記載のインクジェット記録方法。
【請求項３】
１ノズル当たりの水性インクの吐出量が、５．９ｎｇ／ドット以下である請求項１又は２に記載のインクジェット記録方法。
【請求項４】
前記水性インクの２５℃における動的表面張力が、３０ｍＮ／ｍ以上である請求項１乃至３のいずれか１項に記載のインクジェット記録方法。
【請求項５】
前記中央部ノズルから吐出される水性インクの平均温度Ｔｃ（℃）が、４０℃以上である請求項１乃至４のいずれか１項に記載のインクジェット記録方法。
【請求項６】
前記重複部ノズルから吐出される水性インクの平均温度Ｔｏ（℃）と、前記中央部ノズルから吐出される水性インクの平均温度Ｔｃ（℃）とが、Ｔｃ−Ｔｏ≦１０の関係を満たす請求項１乃至５のいずれか１項に記載のインクジェット記録方法。
【請求項７】
請求項１乃至６のいずれか１項に記載のインクジェット記録方法に用いる、ラインヘッドを備えたインクジェット記録装置であって、
前記ラインヘッドは、水性インクを吐出する複数のノズルが所定方向に配列されて構成されたノズル列をそれぞれ有する複数の記録素子基板を備えるとともに、複数の前記記録素子基板は、隣接する前記記録素子基板の端部同士が前記所定方向において重複して重複部を構成するように、前記所定方向に配列されており、
前記重複部を構成する重複部ノズルから吐出される水性インクの平均温度Ｔｏ（℃）と、前記ノズル列の中央部を構成する中央部ノズルから吐出される水性インクの平均温度Ｔｃ（℃）とが、Ｔｃ＞Ｔｏの関係を満たすように、前記重複部ノズルから吐出される水性インクの平均温度Ｔｏ（℃）と、前記中央部ノズルから吐出される水性インクの平均温度Ｔｃ（℃）との関係を制御する手段をさらに備えることを特徴とするインクジェット記録装置。
【発明の詳細な説明】
【技術分野】
【０００１】
本発明は、インクジェット記録方法、及びそれに用いるインクジェット記録装置に関する。
【背景技術】
【０００２】
近年、インクジェット記録装置は、低電力、低コスト、及び省スペースという利点を活かし、オフィスなどでの利用が増加しつつある。インクジェット記録装置に採用されている記録ヘッドの走査方式として、シリアル方式を挙げることができる。シリアル方式では、紙送り方向（主走査方向）に対して直交する方向（副走査方向）に記録ヘッドを繰り返し移動させて画像を記録する。シリアル方式の記録ヘッドは比較的小さいため、記録装置本体を小型化することができる。
【０００３】
近年では、記録速度（スループット）のさらなる向上のため、吐出口の配列幅を記録媒体の最大幅相当まで延ばした記録ヘッド、すなわち、ラインヘッドを採用した記録装置が開発されている（特許文献１）。シリアル方式とは異なり、ラインヘッド方式では記録ヘッドの移動は行わずに、用紙の搬送のみが行われるため、記録速度の向上に有利である。
【０００４】
しかし、ラインヘッド方式の場合、隣接して配置された記録素子基板（チップ）同士の境目部分におけるノズル列の不連続な箇所で記録された画像に「スジ」が発生するといった問題が生ずることがある。このような問題を解消すべく、例えば、チップの境界にヒータを設け、チップ間の温度差を解消した記録ヘッドが提案されている（特許文献２）。また、チップ列のつなぎ部分におけるチップの温度低下を低減して、つなぎ部分で記録された画像の濃度変化を抑制しうるインクジェット記録装置が提案されている（特許文献３）。
【０００５】
ところで、オフィスでインクジェット記録装置を使用する際には、コート層を有しない普通紙を記録媒体として用いる場合が多い。このため、普通紙への記録に適したシステムの開発が強く求められている。例えば、普通紙に画像を記録する場合、インクや記録装置に対しては、記録後に記録媒体が変形しない（いわゆる、コックリングが生じない）ことや、オフィスでの使用に適した光学濃度を有する画像を記録可能であることなどが求められる。
【先行技術文献】
【特許文献】
【０００６】
【特許文献１】特開２０１０−１４３１４７号公報
【特許文献２】特開２００８−１９４９４０号公報
【特許文献３】特開２００８−０００９７５号公報
【発明の概要】
【発明が解決しようとする課題】
【０００７】
本発明者らは、ラインヘッドを備えたインクジェット記録装置を用いた、普通紙への画像の記録方法について検討した。その結果、記録する画像パターンによっては、記録後の記録媒体に変形（以下、「コックリング」とも記す）が生じやすいことがわかった。コックリングが生ずると、例えば、両面記録する場合に記録媒体の反転時の待機時間を長くせざるを得ないため、記録速度が低下しやすくなるとともに、変形した記録媒体が記録ヘッドに接触して擦れるといった問題も生じやすくなる。また、特許文献２及び３で提案された記録ヘッドなどを備えた記録装置を使用した場合であっても、記録後の記録媒体にコックリングが生じやすいといった課題を有することがわかった。
【０００８】
したがって、本発明の目的は、ラインヘッドを備えた記録装置を使用する場合に、記録媒体の変形（いわゆるコックリング）が抑制され、高品位な画像を記録することが可能なインクジェット記録方法を提供することにある。また、本発明の別の目的は、上記インクジェット記録方法に用いるインクジェット記録装置を提供することにある。
【課題を解決するための手段】
【０００９】
上記の目的は以下の本発明によって達成される。すなわち、本発明によれば、ラインヘッドを備えたインクジェット記録装置を使用して記録媒体に画像を記録するインクジェット記録方法であって、前記ラインヘッドは、水性インクを吐出する複数のノズルが所定方向に配列されて構成されたノズル列をそれぞれ有する複数の記録素子基板を備えるとともに、複数の前記記録素子基板は、隣接する前記記録素子基板の端部同士が前記所定方向において重複して重複部を構成するように、前記所定方向に配列されており、前記重複部を構成する重複部ノズルから吐出される水性インクの平均温度Ｔｏ（℃）と、前記ノズル列の中央部を構成する中央部ノズルから吐出される水性インクの平均温度Ｔｃ（℃）とが、Ｔｃ＞Ｔｏの関係を満たし、前記重複部ノズルからは、隣接する前記記録素子基板に割り振って前記水性インクを吐出することを特徴とするインクジェット記録方法が提供される。
【発明の効果】
【００１０】
本発明によれば、ラインヘッドを備えた記録装置を使用する場合に、記録媒体の変形（いわゆるコックリング）が抑制され、高品位な画像を記録することが可能なインクジェット記録方法を提供することができる。また、本発明によれば、上記インクジェット記録方法に用いるインクジェット記録装置を提供することができる。
【図面の簡単な説明】
【００１１】
【図１】ラインヘッドにより画像を記録するイメージ図である。
【図２】インクジェット記録装置の一例を示す模式図である。
【図３】ラインヘッドの一例を模式的に示す図であり、（ａ）は斜視図、（ｂ）は分解斜視図である。
【図４】回復機構の一例を示す図であり、（ａ）は斜視図、（ｂ）は模式図である。
【図５】インクをラインヘッドに供給する供給機構の一例を示す模式図である。
【図６】ラインヘッドにおける記録素子基板の配列態様の一例を示す模式図である。
【図７】ラインヘッドにおける記録素子基板の配列態様の他の例を示す模式図である。
【図８】ラインヘッド１を構成する記録素子基板のノズルの配列態様を示す模式図である。
【図９】ラインヘッド３を構成する記録素子基板のノズルの配列態様を示す模式図である。
【発明を実施するための形態】
【００１２】
以下に、好ましい実施の形態を挙げて、さらに本発明を詳細に説明する。本発明においては、化合物が塩である場合は、インク中では塩はイオンに解離して存在しているが、便宜上、「塩を含有する」と表現する。また、インクジェット用の水性インクのことを、単に「インク」と記載することがある。また、物性値は、特に断りのない限り、常温（２５℃）における値とする。
【００１３】
＜インクジェット記録方法＞
本発明のインクジェット記録方法は、ラインヘッドを備えたインクジェット記録装置を使用して記録媒体に画像を記録する方法である。このラインヘッドは、水性インクを吐出する複数のノズルが所定方向に配列されて構成されたノズル列をそれぞれ有する複数の記録素子基板を備える。複数の記録素子基板は、隣接する記録素子基板の端部同士が、所定方向において重複して重複部を構成するように、所定方向に配列されている。そして、重複部を構成する重複部ノズルから吐出される水性インクの平均温度Ｔｏ（℃）と、ノズル列の中央部を構成する中央部ノズルから吐出される水性インクの平均温度Ｔｃ（℃）とが、Ｔｃ＞Ｔｏの関係を満たす。さらに、重複部ノズルからは、隣接する記録素子基板に割り振って水性インクを吐出することを特徴とする。
【００１４】
（コックリングが生ずる理由）
上記のような構成を有するラインヘッドを備えたインクジェット記録装置を使用して画像を記録すると、ある条件下においてコックリングが生じやすいことがわかった。そこで、本発明者らは、ラインヘッドを用いた場合に顕著にコックリングが生ずる理由について検討した。ラインヘッドのヘッド幅は、通常、記録媒体の幅を包含するように構成されており、基本的には１度の相対走査（１パス）で画像を記録する。すなわち、シリアルヘッドのように、記録媒体の送り方向（主走査方向）に対して直交するように記録ヘッドを移動させる必要がない反面、単位領域に一度に付与されるインク量が多くなる。ベタ画像のような画像を記録する場合には、一度に付与されるインク量が特に多くなるため、記録媒体が一気に濡れることになる。一度に付与されるインク量の多さが、ラインヘッドを用いた場合にコックリングが生じやすくなる理由の一つであると考えられる。一方、シリアルヘッドは、主走査方向と直交する方向（副走査方向）に動きながら画像を記録することができるとともに、マルチパス記録を行うことができるため、記録媒体の幅相当の領域が一度に濡れるということは実質的に起こりにくい。マルチパス記録は、単位領域の画像を記録ヘッドの複数回の走査で記録する手法であり、記録媒体の単位領域に一度に付与されるインク量を低減するのに有効である。
【００１５】
次に、本発明者らは、ラインヘッドを用いた場合にどのようにコックリングが生ずるのかについて検討した。コックリングが生じた記録物（記録媒体）の断面を観察したところ、インクの浸透深さが周期的に変化していることがわかった。さらに詳細に観察したところ、インクの浸透深さの周期は、記録素子基板同士の境目部分におけるノズル列の不連続な箇所（以下、「つなぎ部」とも記す）の位置と対応していることがわかった。また、インクの浸透深さについてさらに詳細に観察したところ、つなぎ部付近のノズルから吐出されたインクの浸透深さは、つなぎ部付近以外のノズルから吐出されたインクの浸透深さよりも深いことが判明した。すなわち、ノズルの位置によるインクの浸透深さの差に起因して記録媒体の濡れの程度（膨潤度合い）が周期的に変化し、波打つような変形としてコックリングが生ずると推測される。
【００１６】
（つなぎ部付近のノズルから吐出されたインクの浸透深さが深くなる理由）
次に、本発明者らは、ラインヘッドのつなぎ部付近のノズルから吐出されたインクの浸透深さが深くなる理由について検討した。前述の通り、つなぎ部は、記録素子基板同士の境目部分におけるノズル列の不連続な箇所である。また、一般的に、隣接する記録素子基板のつなぎ部に対応する位置に存在するノズル同士が、ノズルの配列方向と交差する方向において重複する重複部を構成するように、ノズルの配列方向と同じ方向に複数の記録素子基板が配列されている。そして、つなぎ部に対応する位置に存在するノズルについては、通常、以下のように制御した上で画像を記録する。
【００１７】
つなぎ部に対応する位置に存在するノズル（すなわち、重複部ノズル）は、隣接する記録素子基板のいずれにも存在している。このため、インクを隣接する記録素子基板に割り振って吐出するように制御することで、記録素子基板の設置誤差によるインクドットの付着位置のずれを目立たなくしている。その結果、つなぎ部においては、先行する記録に割り振られた記録素子基板の重複部ノズルから吐出されるインクと、後行する記録に割り振られた記録素子基板の重複部ノズルから吐出されるインクとが存在するため、浸透時間差が生ずる。すなわち、先行するインクが浸透及び定着している途中で、後行するインクが付与される。後行するインクは、既に濡れた状態の記録媒体に付着するため、浸透が促進され、記録媒体の深さ方向へとより浸透しやすくなる。このような浸透時間差が生じた結果、つなぎ部ではない中央部などのノズルから吐出されたインクの浸透深さに比べて、つなぎ部のノズルから吐出されたインクの浸透深さが深くなると考えられる。
【００１８】
（コックリングを抑制する手段）
以上の検討結果を考慮した上で、本発明者らは、ラインヘッドを備えたインクジェット記録装置を使用して画像を記録する場合であっても、コックリングを抑制しうる手段についてさらに検討した。その結果、ノズル列の重複部を構成する重複部ノズルから吐出されるインクの平均温度Ｔｏ（℃）と、ノズル列の中央部を構成する中央部ノズルから吐出されるインクの平均温度Ｔｃ（℃）とが、Ｔｃ＞Ｔｏの関係を満たす温度制御が有効であることを見出した。このような効果が得られる点につき、本発明者らは以下のように推測している。
【００１９】
上記の「Ｔｃ＞Ｔｏ」の関係を満たすように温度制御した上でインクを吐出した場合、以下のような現象が起きていると考えられる。中央部ノズルから吐出されるインクの平均温度（Ｔｃ（℃））は、重複部ノズルから吐出されるインクの平均温度（Ｔｏ（℃））に比して高い。このため、中央部ノズルから吐出されるインクの粘度は、重複部ノズルから吐出されるインクの粘度に比して相対的に低い。中央部ノズルから吐出される、粘度が相対的に低いインクは記録媒体により浸透しやすくなるため、重複部ノズルから吐出されるインクの浸透深さとの差が小さくなる。なお、インクの浸透深さの差が小さくなる点については、実際に記録物（記録媒体）の断面を観察して確認することができる。以上の結果、ノズルの位置によることなく、インクの浸透深さを均一に制御することが可能となり、コックリングを抑制することができると考えられる。
【００２０】
（インクジェット記録装置）
本発明のインクジェット記録方法に用いるインクジェット記録装置は、ラインヘッドを備えたインクジェット記録装置である。ラインヘッドは、水性インクを吐出する複数のノズルが所定方向に配列されて構成されたノズル列をそれぞれ有する複数の記録素子基板を備える。複数の記録素子基板は、隣接する記録素子基板の端部同士が、所定方向において重複して重複部を構成するように、前記所定方向に配列されている。そして、インクジェット記録装置は、Ｔｃ＞Ｔｏの関係を満たすように、重複部ノズルから吐出される水性インクの平均温度Ｔｏ（℃）と、中央部ノズルから吐出される水性インクの平均温度Ｔｃ（℃）との関係を制御する手段をさらに備える。さらに、インクジェット記録装置は、重複部ノズルからは、隣接する記録素子基板に割り振って水性インクを吐出する。以下、図面を参照しつつ、本発明のインクジェット記録装置の詳細について説明する。
【００２１】
図１は、ラインヘッドにより画像を記録するイメージ図である。また、図２は、インクジェット記録装置の一例を示す模式図である。図２に示す記録装置Ｍ４０００では、記録装置本体にラインヘッド（記録ヘッドＨ１０００）が固定されており、記録媒体４７を矢印４５の方向に搬送して記録する方式が採用されている。記録装置Ｍ４０００は、例えば、イエローインク用の記録ヘッドＨ１０００Ｙ、マゼンタインク用の記録ヘッドＨ１０００Ｍ、シアンインク用の記録ヘッドＨ１０００Ｃ、及びブラックインク用の記録ヘッドＨ１０００Ｂｋ（図１）を備える。
【００２２】
図２に示す記録ヘッドＨ１０００Ｙ〜Ｈ１０００Ｒは、記録装置Ｍ４０００に載置された記録ヘッドホルダ４２によって固定されている。図１及び２では、イエロー、マゼンタ、シアン、及びブラックの各色、さらには反応液を別々の記録ヘッドから吐出する構成を示している。勿論、一つの記録素子基板に設けられた複数のノズル列のそれぞれから、複数のインク、さらには反応液を吐出して画像を記録する構成であってもよい。
【００２３】
インクジェット記録装置は、インク中の色材を凝集させる成分を含有する反応液を記録媒体に付与する手段を備えていてもよい。反応液を記録媒体に付与する手段としては、塗布方式によって反応液を記録媒体に塗布する手段や、吐出方式で反応液を記録媒体に付与する手段などを挙げることができる。塗布方式によって反応液を記録媒体に塗布する手段では、例えば、従来公知のローラなどの塗布部材を用いて反応液を記録媒体に塗布する。また、吐出方式で反応液を記録媒体に付与する手段では、例えば、図２に示すような、反応液用のラインヘッド（記録ヘッドＨ１０００Ｒ）などの吐出デバイスを用いて反応液を記録媒体に付与する。図１に示すように、４色のインクに対応して４つの記録ヘッドを設ける場合、反応液を記録媒体に付与する手段を別途設けることができる。本発明では、反応液を塗布などの方式で記録媒体に付与した後に、記録ヘッドからインクを吐出して記録媒体に付与することが好ましい。
【００２４】
給紙カセット４６は、その中に普通紙などの記録媒体４７が収納されており、装置本体に着脱自在に装着されている。ピックアップローラ４８は、給紙カセット４６内に収納された記録媒体４７のうち、最上面の１枚を送り出す部材である。搬送ローラ４９は、ピックアップローラ４８より送り出された記録媒体４７を搬送路５０へと搬送する部材である。また、搬送路５０の出口側に配設された搬送ローラ５１は、搬送ベルト４４に載せた状態で、記録媒体４７を記録ヘッドＨ１０００の方向へと搬送する部材である。
【００２５】
図３は、ラインヘッドの一例を模式的に示す図であり、（ａ）は斜視図、（ｂ）は分解斜視図である。図３に示すように、ラインヘッド（記録ヘッドＨ１０００）は、記録素子ユニットＨ１４００と、記録素子ユニットＨ１４００にインクを供給するための液体供給ユニットであるインク供給ユニットＨ１５００とを備える。インク供給ユニットＨ１５００は、インク室（図示せず）に記録装置などの外部からインクを供給するために外部と接続する接続口Ｈ１７１０が形成された接続部Ｈ１７００を備える。また、記録素子ユニットＨ１４００は、記録素子基板Ｈ１１００、支持基板Ｈ１２００、及び配線部材Ｈ１３００で構成されている。
【００２６】
支持基板Ｈ１２００は、記録素子基板Ｈ１１００及び配線部材Ｈ１３００を保持して固定する部材であり、インク供給ユニットＨ１５００から供給されるインクを記録素子基板Ｈ１１００に供給するインク供給孔Ｈ１２１０が形成されている。複数の記録素子基板Ｈ１１００は、支持基板Ｈ１２００の主面に予め定められた位置精度で配置され、固定されている。また、複数の記録素子基板Ｈ１１００は、隣接する記録素子基板Ｈ１１００間でノズル列の方向に沿ってノズルが連続して配置されるように、支持基板Ｈ１２００上に千鳥状に配置されている。このように、隣接する記録素子基板Ｈ１１００のつなぎ目のノズルを重複させて記録素子基板Ｈ１１００を配置することによって記録素子基板の位置ずれなどによる画像への影響を補正可能とし、記録幅が長尺なフルラインタイプの記録ヘッドを実現している。
【００２７】
配線部材Ｈ１３００は、記録素子基板Ｈ１１００に設けられた記録素子を駆動させる電気的な信号や電力を、記録ヘッドＨ１０００の外部（記録装置）から記録素子基板Ｈ１１００へと伝達するため、記録素子基板Ｈ１１００と電気的に接続されている。配線部材Ｈ１３００としては、フレキシブル配線基板などの可撓性を有するプリント配線基板が用いられる。そして、可撓性を有する配線部材Ｈ１３００は、記録素子基板Ｈ１１００と記録装置との電気的接続が容易に行えるよう折り曲げられ、インク供給ユニットＨ１５００に固定されている。
【００２８】
インクを吐出する方式としては、インクに力学的エネルギーを付与する方式や、インクに熱エネルギーを付与する方式などを挙げることができる。本発明においては、いずれの方式でインクを吐出するラインヘッドであっても好適に採用することができる。なかでも、インクに熱エネルギーを付与する方式が好ましく用いられる。
【００２９】
図６は、ラインヘッドにおける記録素子基板の配列態様の一例を示す模式図である。図６に示すように、本発明のインクジェット記録装置を構成するラインヘッドは、インクを吐出する複数のノズルが所定方向に配列されて構成されたノズル列１００をそれぞれ有する複数の記録素子基板Ｈ１１００を備える。複数の記録素子基板Ｈ１１００は、隣接する記録素子基板Ｈ１１００のノズル列１００の端部同士が、所定方向において重複して重複部を構成するように、所定方向（ノズルの配列方向と同じ方向）に配列されている。隣接する記録素子基板Ｈ１１００の端部に着目すると、これらの端部は所定方向（ノズルの配列方向）に交差する方向において重複していることになる。配列された複数の記録素子基板Ｈ１１００は、支持基板Ｈ１２００上に保持されている。記録素子基板の配列態様は特に限定されない。記録素子基板の配列態様としては、例えば、図６に示すような千鳥状に配列されたものの他、図７に示すような、ノズル列１１０をそれぞれ有する複数の記録素子基板Ｈ１１１０がインライン状に配列されたものなどを挙げることができる。
【００３０】
本発明においては、ノズル列の重複部を構成する重複部ノズルから吐出されるインクの平均温度Ｔｏ（℃）と、ノズル列の中央部を構成する中央部ノズルから吐出されるインクの平均温度Ｔｃ（℃）とが、Ｔｃ＞Ｔｏの関係を満たすようにインクを吐出する。このため、本発明のインクジェット記録装置は、上記の関係を満たすように、重複部ノズルから吐出されるインクの平均温度Ｔｏ（℃）と、中央部ノズルから吐出されるインクの平均温度Ｔｃ（℃）との関係を制御する手段（インク温度を制御する手段）を備える。
【００３１】
中央部ノズルから吐出されるインクの平均温度Ｔｃ（℃）は、一般的なインクジェット記録方法に適用される温度に設定することができる。なかでも、Ｔｃ（℃）を４０℃以上とすることで、インクの浸透性を十分に高めることができ、コックリングの抑制効果をより一層高めることができるため好ましい。Ｔｃ（℃）は、６０℃以下であることが好ましく、５０℃以下であることがさらに好ましい。重複部ノズルから吐出されるインクの平均温度Ｔｏ（℃）は、２０℃以上であることが好ましく、２５℃以上であることがさらに好ましい。Ｔｏ（℃）は、４０℃以下であることが好ましく、３５℃以下であることがさらに好ましい。また、Ｔｃ−Ｔｏ≦１０℃の関係を満たすようにインクの温度を制御することで、インクの浸透性をさらに適切な関係にすることが可能となり、コックリングの抑制効果をより一層高めることができるために好ましい。また、５℃≦Ｔｃ−Ｔｏであることが好ましい。
【００３２】
中央部ノズルから吐出されるインクの平均温度や重複部ノズルから吐出されるインクの平均温度を制御する手段としては、例えば、ラインヘッドに配設されるインク温度調整用のヒータ（サブヒータ）や、インク吐出用のヒータなどを挙げることができる。サブヒータの配置は特に限定されない。記録素子基板に配列されたノズル列の周囲にサブヒータを配置したり、ノズル列を構成する１の吐出口に対応して１つ以上のサブヒータを配置したりすることができる。インク吐出用のヒータによってインクの温度を制御（加熱又は加温）するには、例えば、インクが吐出しない程度の電流を繰り返し通電すればよい。サブヒータとインク吐出用のヒータを併用してインクの平均温度を制御してもよい。サブヒータとインク吐出用のヒータを併用する場合には、一方のヒータで一定温度まで昇温した後に、他方のヒータで所望の温度付近に保温するように使い分けてもよい。インクの温度は、例えば、記録ヘッドに設けた温度センサで読み取ることができる。
【００３３】
インクの吐出量は、一般的なインクジェット記録方法に適用される吐出量に設定することができる。なかでも、１ノズル当たりのインクの吐出量を、４０．０ｎｇ／ドット以下とすることが好ましく、１０．０ｎｇ／ドット以下とすることがさらに好ましく、５．９ｎｇ／ドット以下とすることが特に好ましい。１ノズル当たりのインクの吐出量を上記の範囲とすることで、インク中の色材が記録媒体の表面付近に残りやすくなる。このため、記録される画像の光学濃度をより高めることができるとともに、インクの浸透深さをより揃えやすくなり、コックリングの抑制効果をより一層高めることができる。１ノズル当たりのインクの吐出量は、１．０ｎｇ／ドット以上であることが好ましい。
【００３４】
本発明のインクジェット記録方法に用いるインクジェット記録装置は、さらに、ラインヘッドの吐出口におけるインクの固着や、吐出口面のヌレの状態を回復するための回復機構を備えていてもよい。図４は、回復機構の一例を示す図であり、（ａ）は斜視図、（ｂ）は模式図である。図４に示すように、ワイパＷ１００１はクリップ部材Ｗ１００２で保持されており、クリップ部材Ｗ１００２は連結部材Ｗ１００３で保持されている。また、クリップ部材Ｗ１００２は、スライドレールＷ１００６を移動可能なワイプベースＷ１０１１に取り付けられている。ワイプベースＷ１０１１は、連結部材Ｗ１００３を通じ、タイミングベルトＷ１００７の駆動によりスライドレールＷ１００６上を移動することができる。タイミングベルトＷ１００７は、従動プーリＷ１００４及び駆動プーリＷ１００５によって支持されており、駆動プーリＷ１００５には、タイミングベルトＷ１００７を駆動する駆動モータＷ１０１０の軸が連結されている。また、回復動作時のワイパＷ１００１の位置を制御するために、スライドレールＷ１００６の両端部にはフォトセンサＷ１００８、Ｗ１００９が設けられている。ワイピングによる回復動作時には、ワイパＷ１００１がスライドレールＷ１００６によってスライドして移動することにより、ワイパＷ１００１が撓みながら記録ヘッドＨ１０００の吐出口面Ｈ１００１をワイピングする。
【００３５】
本発明の液体吐出方法に用いるインクジェット記録装置は、さらに、インクなどの液体をラインヘッドに供給する供給機構を備えていてもよい。図５は、インクをラインヘッドに供給する供給機構の一例を示す模式図である。図５に示すように、ポンプＰ１によって、サブタンクＴ２からラインヘッドＨ１０００へとインクが供給される。ラインヘッドＨ１０００から溢れたインクはサブタンクＴ２へと戻される。バルブＶ１は、回復動作時にラインヘッド内部のインク液室を加圧又は圧力を開放する切り替えのために設けられている。加圧回復時はバルブＶ１を閉じ、ポンプＰ１で加圧することによってインク供給経路及びインク流路内の泡の一部が除去される。サブタンクＴ２内のインク液面は、ラインヘッドＨ１０００の吐出口面との水頭差を一定の範囲で保持するように構成されており、ラインヘッドＨ１０００の吐出口面の負圧を適正な範囲で維持する。サブタンクＴ２内のインクが不足した場合は、ポンプＰ２により、メインタンクＴ１からサブタンクＴ２へとインクが送られる。各タンク、それらに収容されるインクの温度は、インクジェット記録装置が設置される環境温度に依存するが、例えば、１５〜４５℃の範囲であることが好ましい。
【００３６】
本発明のインクジェット記録方法により画像を記録する対象の記録媒体としては、どのようなものを用いてもよい。なかでも、普通紙や非コート紙などのコート層を有しない記録媒体、及び、光沢紙やアート紙などのコート層を有する記録媒体のような、浸透性を有する紙を用いることが好ましい。特に、光沢紙やアート紙などの、コート層を有する記録媒体を用いることが好ましい。
【００３７】
（インク）
以下、本発明のインクジェット記録方法に用いるインクを構成する各成分やインクの物性などについて詳細に説明する。本発明で用いるインクは、いわゆる「硬化型インク」である必要はない。したがって、本発明で用いるインクは、外部エネルギーの付加により重合しうる重合性モノマーなどの化合物を含有しなくてもよい。
【００３８】
［色材］
本発明のインクジェット記録方法に用いるインクは、色材を含有することが好ましい。色材としては、染料及び顔料のいずれをも用いることができる。染料としては、アニオン性基を有するものなどを挙げることができる。染料としては、フタロシアニン、アゾ、キサンテン、アントラピリドンなどの骨格を有する化合物を用いることができる。また、顔料としては、無機顔料及び有機顔料を挙げることができる。顔料としては、分散剤として樹脂を用いる樹脂分散タイプの顔料、及び顔料の粒子表面に親水性基を導入した自己分散タイプの顔料（自己分散顔料）などを用いることができる。なかでも、色材として顔料を含有するインクを用いることが好ましい。色材として顔料を用いることで、記録媒体に付着したインクの固液分離が促進され、記録媒体の表面に顔料が残りやすくなるので、記録される画像の光学濃度をより高めることができる。さらに、顔料が記録媒体の表面に残るとともに、固液分離により液体成分（水性媒体）のみが記録媒体に速やかに浸透して均一に濡れを生じさせるため、コックリングの抑制効果をより一層高めることができる。色材として顔料を用いる場合、樹脂分散剤を利用しない分散方式を利用することが好ましく、自己分散顔料を用いることがさらに好ましい。
【００３９】
樹脂分散タイプの顔料としては、高分子分散剤を使用した樹脂分散型顔料、顔料の粒子の表面を樹脂で被覆したマイクロカプセル型顔料、及び顔料の粒子の表面に高分子を含む有機基が化学的に結合した樹脂結合型顔料などがある。分散方法の異なる顔料を併用することもできる。樹脂としては、（メタ）アクリル酸などのアニオン性基を有するユニットと、芳香環や脂肪族基を有するモノマーなどのアニオン性基を有しないユニットと、少なくとも有する、アクリル樹脂を用いることが好ましい。
【００４０】
自己分散タイプの顔料としては、顔料の粒子表面にアニオン性基が直接又は他の原子団を介して結合したものを挙げることができる。アニオン性基としては、カルボン酸基、スルホン酸基、リン酸基、及びホスホン酸基などを挙げることができる。アニオン性基のカウンターイオンとしては、水素原子、アルカリ金属、アンモニウム、及び有機アンモニウムなどのカチオンを挙げることができる。また、他の原子団は、顔料の粒子表面とイオン性基とのスペーサの機能を持つものであり、分子量が１，０００以下であることが好ましい。他の原子団としては、炭素数１乃至６程度のアルキレン基；フェニレン基、ナフチレン基などのアリーレン基；エステル基；イミノ基；アミド基；スルホニル基；エーテル基などを挙げることができる。また、これらの基を組み合わせた基であってもよい。
【００４１】
インク中の色材の含有量（質量％）は、インク全質量を基準として、０．１質量％以上１５．０質量％以下であることが好ましく、１．０質量％以上１０．０質量％以下であることがさらに好ましい。なかでも、２．０質量％以上１０．０質量％以下であることが特に好ましい。
【００４２】
［水性媒体］
インクは、水性媒体として水を含有する。水としては、脱イオン水（イオン交換水）を用いることが好ましい。インク中の水の含有量（質量％）は、インク全質量を基準として、５０．０質量％以上９５．０質量％以下であることが好ましく、６０．０質量％以上９５．０質量％以下であることがさらに好ましい。
【００４３】
インクには、水性媒体として、さらに水溶性有機溶剤を含有させることができる。水溶性有機溶剤としては、インクジェット記録方法に適用されるインクに一般的に用いられているものをいずれも用いることができる。水溶性有機溶剤の具体例としては、炭素数１乃至４のアルキルアルコール類、アミド類、ケトン又はケトアルコール類、エーテル類、ポリアルキレングリコール類、グリコール類、アルキレン基の炭素原子数が２乃至６のアルキレングリコール類、アルキルエーテルアセテート類、多価アルコールのアルキルエーテル類、含窒素化合物類などを挙げることができる。これらの水溶性有機溶剤は、１種単独で又は２種以上を組み合わせて用いることができる。インク中の水溶性有機溶剤の含有量（質量％）は、インク全質量を基準として、３．０質量％以上５０．０質量％以下であることが好ましい。
【００４４】
通常「水溶性有機溶剤」とは液体を意味するが、本発明においては、２５℃（常温）で固体であるものも、水に溶解してインクを構成する液媒体となるため、便宜上、水溶性有機溶剤に含めることとする。インクに汎用であり、２５℃で固体である水溶性有機溶剤の具体例としては、１，６−ヘキサンジオール、トリメチロールプロパン、エチレン尿素、尿素、数平均分子量１，０００のポリエチレングリコールなどを挙げることができる。
【００４５】
［界面活性剤］
インクには、界面活性剤を含有させることができる。インク中の界面活性剤の含有量（質量％）は、インク全質量を基準として、０．１質量％以上５．０質量％以下であることが好ましく、０．２質量％以上３．０質量％以下であることがさらに好ましい。界面活性剤の具体例としては、アセチレングリコールのエチレンオキサイド付加物、ポリエチレングリコールアルキルエーテル、ポリオキシエチレンポリオキシプロピレンブロックポリマーなどの炭化水素系の界面活性剤；パーフルオロアルキルエチレンオキサイド付加物などのフッ素系の界面活性剤；ポリエーテル変性シロキサン化合物などのシリコーン系界面活性剤などを挙げることができる。なかでも、ノニオン性界面活性剤を用いることが好ましい。これらの界面活性剤は、１種単独で又は２種以上を組み合わせて用いることができる。
【００４６】
［その他の成分］
インクには、上記成分の他に、必要に応じて所望の物性値を有するインクとするために、樹脂、ｐＨ調整剤、防錆剤、防腐剤、防黴剤、酸化防止剤、及び還元防止剤などの種々の添加剤を含有させてもよい。
【００４７】
［インクの動的表面張力］
インクの２５℃における動的表面張力は、３０ｍＮ／ｍ以上であることが好ましい。インクの２５℃における動的表面張力が３０ｍＮ／ｍ以上であると、インクの浸透性と、記録される画像の光学濃度とのバランスがより良好となる。インクの動的表面張力は、最大泡圧法によって測定される寿命時間１０ｍ秒における値である。また、インクの２５℃における動的表面張力は、５０ｍＮ／ｍ以下であることが好ましい。最大泡圧法は、測定する液体中に浸したプローブ（細管）の先端部分で形成された気泡を放出するために必要な最大圧力を測定し、測定した最大圧力から液体の表面張力を求める方法である。寿命時間は、最大泡圧法において、プローブの先端部分で気泡を形成する際に、気泡が先端部分から離れて新しい気泡の表面が形成された時点から、最大泡圧時（気泡の曲率半径とプローブ先端部分の半径が等しくなる時点）までの時間である。
【００４８】
［インクの静的表面張力］
インクの２５℃における静的表面張力は、５５ｍＮ／ｍ以下であることが好ましい。また、インクの２５℃における静的表面張力は、１５ｍＮ／ｍ以上であることがさらに好ましく、２５ｍＮ／ｍ以上であることが特に好ましい。
【００４９】
［インクのその他の物性］
インクの２５℃における粘度は、１．０ｍＰａ・ｓ以上５．０ｍＰａ・ｓ以下であることが好ましく、１．０ｍＰａ・ｓ以上３．０ｍＰａ・ｓ以下であることがさらに好ましい。インクの２５℃におけるｐＨは、５以上９以下であることが好ましい。
【実施例】
【００５０】
以下、実施例及び比較例を挙げて本発明をさらに詳細に説明するが、本発明は、その要旨を超えない限り、下記の実施例によって何ら限定されるものではない。成分量に関して「部」及び「％」と記載しているものは特に断らない限り質量基準である。
【００５１】
＜顔料分散液の調製＞
（顔料分散液１）
水溶性樹脂であるスチレン／アクリル酸共重合体（組成（モル）比＝３３：６７）を中和当量１となる水酸化カリウムで中和してイオン交換水に溶解させ、樹脂の含有量が２０．０％である樹脂分散剤の水溶液を調製した。この水溶性樹脂の重量平均分子量は１０，０００であり、酸価は２００ｍｇＫＯＨ／ｇである。顔料（カーボンブラック）１５．０部、樹脂分散剤の水溶液３０．０部、及び水５５．０部の混合物をサンドグラインダーに入れ、１時間分散処理した。遠心分離処理して粗大粒子を除去した後、ポアサイズ３．０μｍのミクロフィルター（富士フイルム製）にて加圧ろ過した。次いで、適量のイオン交換水を加えて顔料分散液１を得た。得られた顔料分散液１中の顔料の含有量は１５．０％、樹脂分散剤の含有量は６．０％であった。
【００５２】
（顔料分散液２）
顔料の種類をＣ．Ｉ．ピグメントブルー１５：３に変更したこと以外は顔料分散液１の調製と同様にして、顔料分散液２を得た。得られた顔料分散液２中の顔料の含有量は１５．０％、樹脂分散剤の含有量は６．０％であった。
【００５３】
（顔料分散液３）
顔料の種類をＣ．Ｉ．ピグメントレッド１２２に変更したこと以外は顔料分散液１の調製と同様にして、顔料分散液３を得た。得られた顔料分散液３中の顔料の含有量は１５．０％、樹脂分散剤の含有量は６．０％であった。
【００５４】
（顔料分散液４）
顔料の種類をＣ．Ｉ．ピグメントイエロー７４に変更したこと以外は顔料分散液１の調製と同様にして、顔料分散液４を得た。得られた顔料分散液４中の顔料の含有量は１５．０％、樹脂分散剤の含有量は６．０％であった。
【００５５】
（顔料分散液５）
水５．５ｇに濃塩酸７０．６ｍｍｏｌを溶かした溶液を温度５℃に冷却し、４−アミノフタル酸９．８ｍｍｏｌを加えた。この溶液の入った容器をアイスバスに入れて液を撹拌し、溶液を常に１０℃以下に保った状態とした。これに、５℃の水９．０ｇに亜硝酸ナトリウム２４．９ｍｍｏｌを溶かした溶液を加えた。さらに１５分間撹拌後、顔料６．０ｇを撹拌下で加えた。顔料としては、カーボンブラック（商品名「ブラックパールズ８８０」、キャボット製）を用いた。その後、さらに１５分間撹拌してスラリーを得た。得られたスラリーをろ紙（商品名「標準用濾紙Ｎｏ．２」、アドバンテック製）でろ過した後、十分に水洗し、温度１１０℃のオーブンで乾燥させて自己分散顔料を得た。イオン交換水を用いて顔料の含有量を調整して、顔料分散液５を得た。顔料分散液５には、カウンターイオンがナトリウムであるフタル酸基が粒子表面に結合した自己分散顔料が含まれており、顔料の含有量は１５．０％であった。
【００５６】
＜染料水溶液＞
Ｃ．Ｉ．ダイレクトブラック１９５の１５．０％水溶液を「染料水溶液」として用いた。
【００５７】
＜インクの調製＞
表１に示す各成分（単位：％）を混合して十分に撹拌した後、ポアサイズ１．２０μｍのセルロースアセテートフィルター（アドバンテック製）にて加圧ろ過し、各インクを調製した。調製したインクの２５℃における表面張力を表１の下段に示す。インクの表面張力は、自動表面張力計（商品名「ＣＢＶＰ−Ｚ型」、協和界面科学製）を使用し、２５℃、湿度５０％の環境下で測定した。表１中の「サーフィノール１０４」は、ノニオン性界面活性剤（日信化学工業製）の商品名である。
【００５８】
2018187921.tif 000003
【００５９】
＜評価＞
（ヘッドの構成）
熱エネルギーを付与してインクを吐出させるサーマルインクジェット方式の下記ヘッド１〜８を用意した。用意したヘッド１〜８は、いずれも、ノズル列１列当たりのノズル密度は６００ｄｐｉであり、インク１色当たりのノズル列は２列である。
【００６０】
［ヘッド１］
図７に示すように、複数の記録素子基板Ｈ１１１０がインライン状に配置されたラインヘッドである。図９に示すように、ノズル列１列当たりの重複部ノズル２２０の数は１６個であり、１ノズル当たりのインク吐出量は５．０ｎｇ／ドットである。
【００６１】
［ヘッド２］
図６に示すように、複数の記録素子基板Ｈ１１００が千鳥状に配置されたラインヘッドである。図８に示すように、ノズル列１列当たりの重複部ノズル２００の数は６４個であり、１ノズル当たりのインク吐出量は５．０ｎｇ／ドットである。
【００６２】
［ヘッド３］
図７に示すように、複数の記録素子基板Ｈ１１１０がインライン状に配置されたラインヘッドである。図９に示すように、ノズル列１列当たりの重複部ノズルの数は１６個であり、１ノズル当たりのインク吐出量は５．９ｎｇ／ドットである。
【００６３】
［ヘッド４］
図７に示すように、複数の記録素子基板Ｈ１１１０がインライン状に配置されたラインヘッドである。図９に示すように、ノズル列１列当たりの重複部ノズルの数は１６個であり、１ノズル当たりのインク吐出量は７．５ｎｇ／ドットである。
【００６４】
［ヘッド５］
図７に示すように、複数の記録素子基板Ｈ１１１０がインライン状に配置されたラインヘッドである。図９に示すように、ノズル列１列当たりの重複部ノズルの数は１６個であり、１ノズル当たりのインク吐出量は３０．０ｎｇ／ドットである。
【００６５】
［ヘッド６］
ヘッド２を構成する記録素子基板を利用したシリアルヘッドである。
【００６６】
［ヘッド７］
図６に示すように、複数の記録素子基板Ｈ１１００が千鳥状に配置されたラインヘッドである。ノズル列１列当たりの重複部ノズルの数は０個であり、１ノズル当たりのインク吐出量は５．０ｎｇである。
【００６７】
［ヘッド８］
図７に示すように、複数の記録素子基板Ｈ１１１０がインライン状に配置されたラインヘッドである。ノズル列１列当たりの重複部ノズルの数は０個であり、１ノズル当たりのインク吐出量は５．０ｎｇである。
【００６８】
ヘッド１〜８の構成を表２に示す。
【００６９】
2018187921.tif 000004
【００７０】
＜画像の記録、評価＞
実施例１〜１９、比較例１〜５、並びに参考例３及び４の評価には、ラインヘッドであるヘッド１〜５、７、及び８をそれぞれ搭載した、図２に示す構成のインクジェット記録装置を利用した。ヘッドはインクジェット記録装置に固定されている。このインクジェット記録装置は、ヘッドと記録媒体との１回の相対走査により画像を記録する装置である。調製した各インクをそれぞれインク収容部に充填した後、ポンプを使用してヘッドへと送液した。この装置を使用し、１／６００インチ×１／６００インチの単位領域にインク滴を２０ｎｇ付与する条件で、８ｉｎｃｈ／ｓｅｃの速度で記録媒体を搬送し、所定サイズのベタ画像を記録した。
【００７１】
参考例１及び２の評価には、図２に示す構成のインクジェット記録装置のラインヘッドを、シリアルヘッドであるヘッド６に置き換えたこと以外は同様の構成としたインクジェット記録装置を利用した。このインクジェット記録装置は、記録ヘッドの２回の走査で記録媒体の単位領域の画像を記録する装置である。この装置を使用し、１／６００インチ×１／６００インチの単位領域にインク滴を２０ｎｇ付与する条件で、８ｉｎｃｈ／ｓｅｃの速度でヘッドを走査させ、所定サイズのベタ画像を記録した。
【００７２】
記録媒体としては、普通紙（商品名「ＰＢ−ＰＡＰＥＲ」、キヤノン製）を用いた。また、インクの温度は、ヘッドのヒータにインクが吐出しない程度に通電し、ヘッドに設けたダイオードセンサで読み取ることで制御した。実施例１〜１９及び比較例２〜５では、重複部ノズルからは、隣接する各記録素子基板に千鳥状に使用するノズルを割り振ってインクを吐出するように制御した。一方、比較例１では、記録媒体搬送方向の上流側の記録素子基板のノズルのみからインクを吐出するように制御した。参考例３及び４では、重複部ノズルが存在しないヘッドを用いた。
【００７３】
記録ヘッド、インク、並びにインクの平均温度Ｔｃ及びＴｏの組み合わせを表３に示す。インクの平均温度Ｔｃ（℃）は、ノズル列の中心から「２５６個」の範囲内にある中央部ノズルから吐出されるインクの温度の平均値である。インクの平均温度Ｔｏ（℃）は、ノズル列を構成するノズルのうち、重複部に配置された重複部ノズルから吐出されるインクの温度の平均値である。
【００７４】
（コックリングの評価）
ラインヘッド長尺方向（シリアルヘッドの場合は記録ヘッドの走査方向）１８ｃｍ×紙送り方向２ｃｍのベタ画像を記録した。記録終了後、３０秒経過時における記録媒体の変形（コックリング）を確認し、以下に示す評価基準にしたがってコックリングを評価した。以下に示す評価基準で、「ＡＡ」、「Ａ」、及び「Ｂ」を許容できるレベル、「Ｃ」を許容できないレベルとした。評価結果を表３に示す。
ＡＡ：コックリングが発生しなかった。
Ａ：ほとんどコックリングが発生しなかった。
Ｂ：ベタ画像のごく一部でコックリングが発生した。
Ｃ：ベタ画像の全体にわたってコックリングが発生した。
【００７５】
（光学濃度の評価）
ラインヘッド長尺方向（シリアルヘッドの場合は記録ヘッドの走査方向）３ｃｍ×紙送り方向３ｃｍのベタ画像を記録した後、２５℃、相対湿度５５％の環境下で記録物を２４時間乾燥させた。蛍光分光濃度計（商品名「ＦＤ−７」、コニカミノルタジャパン製）を使用し、２°視野、Ｄ５０光源の条件下でベタ画像の光学濃度を測定し、以下に示す評価基準（括弧内の数値は、カラーインクの場合の評価基準）にしたがって光学濃度を評価した。以下に示す評価基準で、「Ａ」及び「Ｂ」を許容できるレベル、「Ｃ」を許容できないレベルとした。評価結果を表３に示す。
Ａ：光学濃度が１．２以上（１．０以上）であった。
Ｂ：光学濃度が１．０以上１．２未満（０．８以上１．０未満）であった。
Ｃ：光学濃度が１．０未満（０．８未満）であった。
【００７６】
2018187921.tif 000005
【００７７】
比較例１では、重複部ノズルを隣接する記録素子基板で割り振らなかったため、ベタ画像に若干のスジが生じていた。また、参考例１及び２では、マルチパス記録を行ったため、温度制御の有無にかかわらずコックリングは生じなかったが、各実施例と比較して、記録に２倍の時間を要した。参考例３及び４では、つなぎ部が存在しないためにコックリングの課題が生じないので評価しなかったが、つなぎ部が存在しないためベタ画像にスジが生じていた。
【図１】
2018187921.tif 000006
【図２】
2018187921.tif 000007
【図３】
2018187921.tif 000008
【図４】
2018187921.tif 000009
【図５】
2018187921.tif 000010
【図６】
2018187921.tif 000011
【図７】
2018187921.tif 000012
【図８】
2018187921.tif 000013
【図９】
2018187921.tif 000014